Podtech/llm-jp-corpus-v4-ja_patent huggingface dataset:
(57)【要約】【課題】商品吊下型陳列器具において、先に入れた商品が先に出されるように陳列しやすくする。また、商品吊下型陳列器具に吊り下げられた商品が常に手前に配置されるようにする。【解決手段】ガイドレールとそれを壁に固定する金具を着脱可能にすることにより、供給者は商品がガイドレールに吊り下がった状態を維持したまま、商品をガイドレールの後方から補充できるようにする。また、ガイドレールの商品取出側を下げることにより、商品は自らの重みにより手前にすべり落ちてくるようにし、商品が常に手前に配置されるようにする。【選択図】図１
2004209186.tif 000002
【特許請求の範囲】
【請求項１】
ガイドレールとそれを壁に固定する金具（以下、固定金具）が容易に着脱できることを特徴とする商品吊下型陳列器具。
【請求項２】
ガイドレールの商品取出側が下がっていることを特徴とする請求項１記載の商品吊下型陳列器具。
【発明の詳細な説明】
【０００１】
【発明の属する分野】
この発明は、例えばスーパーマーケット又はコンビニエンスストア等の小売店に用いられる商品吊下型陳列器具の形状に関する。
【０００２】
【従来の技術】
従来の商品吊下型陳列器具は、図４に示すようにガイドレールと固定金具を有している。
【０００３】
【発明が解決しようとする課題】
しかしながら、以上の従来技術によれば、供給者が商品を補充する際に、一度陳列済みの商品を取り除かなければ、先に入れた商品が先に出されるように陳列することができない。また、商品吊下型陳列器具に吊り下げられた商品が奥側に位置したままになるため、需要者は商品を認識しづらく、かつ、商品の取り出しも面倒である。
そこで、この発明は、供給者が容易に商品を補充でき、かつ、需要者が容易に商品を取り出せる機能を提供することを課題とする。
【０００４】
【課題を解決するための手段】
供給者が商品を補充しやすくするために、請求項１記載の発明では、ガイドレールと固定金具を着脱可能にする。
【０００５】
需要者が商品を取り出しやすくするために、請求項２記載の発明では、ガイドレールの商品取出側を下げる。これにより、商品は自らの重みにより手前にすべり落ちてくる。
【０００６】
【発明の実施形態】
図１は請求項１の一実施例における商品吊下型陳列器具の外観を表わしたものである。また、請求項２記載の発明であるガイドレールの商品取出側が下がっている外観も表している。
【０００７】
図２では請求項１記載の発明であるガイドレールと固定金具が容易に着脱できることを特徴とする商品吊下型陳列器具の実現形態を表している。
【０００８】
また、図３の通り、ガイドレールの接続部（１３）と固定金具（１２）の接続部は四角にする。これにより、ガイドレールが回転することを防いでいる。
【０００８】
【実施形態の効果】
この実施形態によれば、ガイドレールと固定金具を着脱可能にすることにより、供給者は商品がガイドレールに吊り下がった状態を維持したまま、商品をガイドレールの後方から補充することができる。
【０００９】
また、ガイドレールの商品取出側を下げることにより、商品は自らの重みにより手前にすべり落ちてくる。これにより商品は常に手前に配置される。
【００１０】
【他の実施形態】
ガイドレールがＵ字型になっている場合も、本発明の効果は維持される。
【００１１】
【発明の効果】
以上説明したように、この発明によれば、供給者が容易に商品を補充でき、かつ、需要者が容易に商品を取り出せる機能を提供することが可能になる。
【図面の簡単な説明】
【図１】請求項１と２の発明の一実施形態を示す側面図である。
【図２】請求項１の発明の一実施形態を詳細に示す側面図である。
【図３】請求項１の発明の一実施形態を詳細に示す斜視図である。
【図４】従来技術を示す側面図である。
【符号の説明】
（１０）壁面
（１１）ガイドレール
（１２）固定金具
（１３）ガイドレールの接続部
【図１】
2004209186.tif 000003
【図２】
2004209186.tif 000004
【図３】
2004209186.tif 000005
【図４】
2004209186.tif 000006
(57)【要約】【課題】片手で紙の端を引っ張るだけでスムーズに回転させ、自由な長さだけ使用することができるトイレットペーパーホルダーを提供する。【解決手段】台（１）に心棒（２）を立設し、この心棒に差し込んだトイレットペーパーを片手で回転させながら引き出せるように形成された回転手段（３）を特徴とする。【選択図】    図１
2004209182.tif 000002
【特許請求の範囲】
【請求項１】
台に心棒を立設し、この心棒に差し込んだトイレットペーパーを片手で回転させながら引き出せるように形成された回転手段を特徴とするトイレットペーパーホルダー。
【発明の詳細な説明】
【０００１】
【発明の属する技術分野】
この発明は、トイレットペーパーホルダーに関するものである。
【０００２】
【従来の技術】
従来、立てた状態で取り出して使用するものには、次のようなものがあった。
Ａ：容器の上面または下面に穴をあけてトイレットペーパーの芯を抜いて、中心からペーパーを取り出すタイプ。
Ｂ：芯の部分に軸を設けて外側からペーパーを使用するタイプ。
【０００３】
【発明が解決しようとする課題】
それには次のような欠点があった。
（イ）Ａのタイプのものは、中心からトイレットペーパーを取り出すため、ペーパーがねじれて丸まってしまい、使い勝手がよくなかった。
（ロ）Ｂのタイプのものは、トイレットペーパーと底面との摩擦によって紙が取り出しにくく、少量で切れてしまったり、取り出すのに時間がかかったりしていた。
【０００４】
【課題を解決するための手段】
台（１）に心棒（２）を設け、心棒（２）に回転手段（３）を設ける。
本発明は、以上のような構成よりなるトイレットペーパーホルダーである。
【０００５】
【発明の実施の形態】
以下、本発明の実施の形態を説明する。
（イ）  台（１）に、トイレットペーパーの穴よりやや直径の小さい心棒（２）の下端を固定する。
（ロ）  心棒（２）に回転手段（３）を装着する。または、心棒（２）と回転手段（３）が一体となったものを台（１）に固定する。
【０００６】
【発明の効果】
トイレットペーパーを、片手で紙の端を引っ張るだけでスムーズに回転させ、自由な長さだけ使用することができる。
【図面の簡単な説明】
【図１】本発明の斜視図である。
【図２】本発明に取っ手（４）、カバー（５）、キャスター（６）を設けた場合の実施形態例の斜視図である。
【符号の説明】
１  台
２  心棒
３  回転手段
４  取っ手
５  カバー
６  キャスター
【図１】
2004209182.tif 000003
【図２】
2004209182.tif 000004
(57)【要約】      （修正有）【課題】放水銃の上下可動を機械的に可動することなく、また、容易に上下させる事が出来ると共に、弁体のパッキンを交換する場合、地下埋設部のコンクリートやアスファルトを壊すことなくパッキンを交換する事の出来、また、消火設備の内部から消火水を排出するため、排水弁を安価に設けることで、複数箇所設ける事が出来る構造を提供する。【解決手段】主管１の下部より流入した消火水が、主管と副管の連結部を通して流れ込み、副管２とスライドパイプ３との間を通り、副管２下部よりスライドパイプ３に流入する事で、消火水の水圧でスライドパイプ３が放水銃と共に、上部にスライド出来、放水が終了し水圧が下がると、スライドパイプ３も下部に下がる構造、また、消火設備の内部から消火水を排出するための排水弁として、内部の消火水を自動的に排水することの出来る自動排水弁４と、内部の消火水を強制的に排水する強制排水弁５を設ける。【選択図】    図１
2004209185.tif 000002
【特許請求の範囲】
【請求項１】
消火水を遠隔部に噴射する為の放水銃において、放水銃を保持すると共に、消火水を通す導水管を、水圧により上下させる事を特徴とする伸縮製差込式放水銃。
【請求項２】
請求項１の放水銃に於いて、弁体を引き抜き式にする事を特徴とする伸縮製差込式放水銃。
【請求項３】
請求項１の放水銃に於いて、消火水の消火設備内での凍結を防止するための排水弁を複数箇所設置する事を特徴とする伸縮製差込式放水銃。
【発明の詳細な説明】
【０００１】
【発明の属する技術分野】
本考案は、消火水を放出するための消火設備に関するものである。
【０００２】
【従来の技術】
消火活動を行う場合、通常ホース又は放水銃等を通して高圧の消火水を火災現場に放水し消火していたが、ホースを使用して消火する場合、出火場所が遠くて近寄れない場合などは、水圧を高くする事で遠くまで消火水を飛ばす必要があるが、人の力ではホースの振れを押さえられず、危険であると共に、消火水が適切に出火部に届かない場合が有るなど、充分な消火活動が出来ないと言う弊害があった。
【０００３】
また、ホースでの消火活動が出来ない場合などは、主に放水銃を使用する事もあるが、放水銃の場合、器具が地面に固定されているので、消火水の水圧を高くしても安定して放水が出来ると言う利点は有るものの、固定であるが故に、放水銃の位置が出火場所から遠いことが多い。そこで、出火現場が遠い場合、消火水を出火部に到達させる為に放水銃を上下に駆動できる仕組みの放水銃もあるが、放水銃を上下させる為のハンドルを介し歯車を回すなどの機械的な構造により、放水銃本体を上下に駆動する方法が取られていた。
【０００４】
また、消火設備の弁部はパッキンにより水漏れを防ぐ構造となっているが、地下式消火設備の弁体の修理やパッキンの交換時、地下埋設部の主管を保持しているコンクリートやアスファルトを壊し、弁体を取り出し、パッキンを交換した後、再度主管を埋め直し補修する方法を取っていた。
【０００５】
また、寒冷地では消火設備の内部に残った水が凍結することで、消火設備の破損が起こる事がある為、消火設備の内部から消火水を排出するための排水弁を設けることが一般的であるが、消火設備の排水を完全に行うには排水弁の位置や構造的にも複雑になる為、通常排水弁は一カ所であった。
【０００６】
【発明が解決しようとする課題】
本考案は、上記した従来技術の問題を解決するために、放水銃の上下可動を機械的に可動することなく、また、容易に上下させる事が出来ると共に、弁体のパッキンを交換する場合、地下埋設部のコンクリートやアスファルトを壊すことなくパッキンを交換する事の出来る様にする。
【０００７】
また、弁体の修理やパッキンの交換を容易にする、弁体引き抜く事のできるようにする。
また、消火設備の内部から消火水を排出するため、排水弁を安価に設けることで、複数箇所設ける事が出来る構造を提供する。
【０００８】
【課題を解決するための手段】
上記の課題を解決する為、この考案は伸縮製差込式放水銃において主管１の下部より流入した消火水が、主管と副管の連結部を通して流れ込み、副管２とスライドパイプ３との間を通り、副管２下部よりスライドパイプ３に流入する事で、消火水の水圧でスライドパイプ３が放水銃と共に、上部にスライド出来る構造となっている。
また、放水が終了し水圧が下がると、スライドパイプ３も下部に下がることとなる。
【０００９】
また、消火設備の内部から消火水を排出するための排水弁として、内部の消火水を自動的に排水することの出来る自動排水弁４と、内部の消火水を強制的に排水する強制排水弁５を設ける事で、内部の消火水をほぼ完全に排出することができる。
【００１０】
また、弁体を引抜式にする事により、地下式消火設備の弁体の修理や、パッキンの交換時に、地下埋設部の主管を保持しているコンクリートやアスファルトを壊す事無く修理を行うことができる。
【００１１】
【発明の実施の形態】
放水銃保持部を図１の様に、副管２とスライドパイプ３の２重構造にする事により、消火水の圧力により、放水銃が上下する構造となる。
【００１２】
また、自動排水弁４と強制排水弁５の２カ所の排水弁を設けることで、消火栓内の消火水をほぼ完全に排出することができる。
【００１３】
また、図５に示すように、弁体引抜式にする事により、地下埋設部の主管を保持しているコンクリートやアスファルトを壊す事無く修理を行うことができる。
【００１４】
【実施例】
図１は本考案の実施例にかかる、伸縮製差込式放水銃の側断面図で、１は主管、２は放水銃を保持する副弁、３は放水銃を上下する時のスライドパイプ、６は主管と副管の連結部を示す。
【００１５】
図２は、自動排水弁の拡大図、図３は強制排水弁の拡大図、図４は弁体の部分拡大図を示す。
【００１６】
【発明の効果】
本考案は、前述のように、放水銃の保持部を副管とスライドパイプの二重構造にする事により、機械的な操作によらず放水銃を上下に駆動させることができる効果を有する。
【００１７】
また、弁体を引き抜き式にする事により、主管を固定するコンクリートやアスファルトを壊すことなく、弁体の修理やパッキンの交換ができる効果を有する。また、排水弁を複数設けることで、消火栓内の消火水のほぼ全てを排出することができる効果を有する。
【図面の簡単な説明】
【図１】「本考案の伸縮製差込式放水銃の側断面図である。」
【図２】「自動排水弁の拡大断面図である。」
【図３】「強制排水弁の拡大断面図である。」
【図４】「弁体の部分拡大図である。」
【符号の説明】
１・・・・・主管
２・・・・・副管
３・・・・・スライドパイプ
４・・・・・自動排水弁
５・・・・・強制排水弁
６・・・・・主管と副管の連結部
７・・・・・弁体
【図１】
2004209185.tif 000003
【図２】
2004209185.tif 000004
【図３】
2004209185.tif 000005
【図４】
2004209185.tif 000006
(57)【要約】【課題】この発明は全てのゴルフクラブに対応し、ゴルフに必要なインパクトイメージと腕等の筋力を養う事を提供する。【解決手段】シャフト固定具の付いた間隔が自由に設定できる２本のアームに、実際のゴルフボールを固定した球揺動棒を取り付け、安全に狭いスペースでボールを飛ばさず、実際のボールをクラブの芯に当てる感覚をつかんでもらい、インパクト時のイメージを養うと同時に、ゴルフをする為の筋力と握力の養成を可能とした。【選択図】  図１
2004209189.tif 000002
【特許請求の範囲】
【請求項１】
シャフト固定具の付いた間隔が自由に設定できる２本のアームに、実際のゴルフボールを固定した球揺動棒を取り付け、安全に狭いスペースでボールを飛ばさず、実際のボールをクラブの芯に当てる感覚をつかんでもらい、インパクト時のイメージを養うと同時にゴルフをする為の筋力を養う事を目的とした練習器
【発明の詳細な説明】
【０００１】
【発明の属する技術分野】
この発明は全てのゴルフクラブに対応し、ゴルフに必要なインパクトイメージと腕等の筋力を養う練習器である。
【０００２】
【従来の技術】
従来の練習器は、（１）スイングやプラスチックボールを打つ事を目的としたものであったり、（２）クラブの芯に実際のボールが当たる感覚を養うものであっても、パターとか特定のクラブに限定され、また、連続・継続して体感できないものであり、筋力を養う事を目的としていない。また、アダプターが長いなど、狭いスペースで練習が難しいものである。
【０００３】
【発明が解決しようとしている課題】
これには次のような欠点があった。
（１）に対して
（イ）クラブをスイングするスペースが必要。
（ロ）プラスチックのボール等であるため、実際のボールの感覚を養えない。
（２）に対して
（イ）不特定のクラブに対応していない。
（ロ）ボールの移動範囲が広く、狭いスペースでの安全性に欠ける。
（ハ）フェースの芯にボールを戻す為の熟練を必要とする。
（二）ボールとの固定距離が長く、連続・継続して打球感が困難。
（ホ）最低限ゴルフに必要な腕等の筋力を養えるものでない。
本発明は、これらの欠点を解決するためになされたものである。
【０００４】
【課題を解決するための手段】
（１）に対して
（イ）クラブをスイングせず、狭いスペースでの練習を可能にする。
（ロ）コースと同様の感覚を養うため、実際のゴルフボールを使用した。
（２）に対して
（イ）全てのクラブに対応出来るように、フェース面に当たるボールの位置・距離を自由に変えられるようアームを可変式にした。
（ロ）狭いスペースで安全に練習を可能にするため、揺動棒の長さを短くした。
（ハ）シャフトに器具が外れないように固定できるようにし、ボールが反発する方向を一定にすることで、正しいフェース面と左手甲の向きを養えるようにした。
（ニ）揺動棒の長さを短くし、連続した打球感の体感を可能にした。
（ホ）筋力アップのための練習を楽しくするため、リズミカルにテンポ良く打球感を体感できるようにした。自然とゴルフに必要な腕の筋力が増すようにした。
【０００５】
【発明の実施の形態】
以下、本発明の実施の形態について説明する。
（イ）実際のゴルフボール（３）を取付けた球揺動棒（７）を、固定具を設けた２本のアーム（６ａ、６ｂ）に固定された支持棒（８）に、回動可能に取り付ける。
（ロ）固定具で２本のアーム（６ａ、６ｂ）をゴルフシャフト（４）に挟み取り付け、クラブをワッグルさせてボール（３）をクラブフェース（２）の芯に当てる。
本発明は、以上の構成によりなる練習器である。
【０００６】
【実施例】
（１）図２において、クラブフェースの芯にボールが当たるようにアーム（６ａ、６ｂ）の幅を調整しシャフトに固定する。
（２）図３の様にワッグルをしてボールを打ち、振り子の原理で戻るボールをインパクトの状態をつくり、リズム良く弾き返す。
（３）図４の様にアームの幅を変える事で全てのクラブでの使用を可能にする。
（４）ボールとクラブが正確にフェース面に当たる様に固定されている為、場所を選ばず安全に打球感を養う事が出来、反復練習を行う事で、ゴルフに必要な筋力を養う。
【０００７】
【発明の効果】
連続した打球感の養成でゴルフに必要なインパクトイメージが養える。また、ゴルフに必要な腕等の筋力（グリップ力、クラブを支える腕力）の強化になる。
【図面の簡単な説明】
【図１】本発明をクラブに取付けた状態の正面図である。
【図２】本発明をクラブに取付け、ボールを弾いた状態の横図面である。
【図３】本発明による連続した実施例の図面である。
【図４】本発明のアームの幅を調整し、各クラブに装着した横図面である。
【符号の説明】
１．  ヘッド
２．  フェース
３．  ゴルフボール
４．  シャフト
５ａ．固定具
５ｂ．固定具
６ａ．アーム
６ｂ．アーム
７．球揺動棒
８．支持棒
９．補強アーム
１０ａ．ボルト
１０ｂ．ボルト
１０ｃ．ボルト
【図１】
2004209189.tif 000003
【図２】
2004209189.tif 000004
【図３】
2004209189.tif 000005
【図４】
2004209189.tif 000006
(57)【要約】【課題】垂下パッキン片１１を前板８に強固に取り付ける。【解決手段】引き出し５の前板８の後面下部に、後方に向かって開放した、少なくとも２つの嵌合凹所１０が形成され、これら嵌合凹所１０に左右方向に長い帯状の垂下パッキン片１１の上部に設けられた嵌合突起１２が嵌められて、垂下パッキン片１１の下部が前板８の下縁より露出する状態となされ、この垂下パッキン片１１の上部が、引き出し５の底板１８の前端で押えられている。【選択図】  図２
2004209120.tif 000002
【特許請求の範囲】
【請求項１】
引き出しの前板の後面下部に、後方に向かって開放した、少なくとも２つの嵌合凹所が形成され、これら嵌合凹所に左右方向に長い帯状の垂下パッキン片の上部に設けられた嵌合突起が嵌められて、垂下パッキン片の下部が前板下縁より露出する状態となされ、この垂下パッキン片の上部が、引き出しの底板の前端で押えられている引き出し。
【請求項２】
前記嵌合凹所が、引き出しの底板の前端面が対向する、前板の部分に設けられている請求項１記載の引き出し。
【発明の詳細な説明】
【０００１】
【発明の属する技術分野】
本発明は厨房キャビネット等の引き出しに関する。
【０００２】
【従来の技術】
従来、この種の引き出しとして以下の如きものは知られている。
引き出しの前板の後面下部に左右方向に長い帯状の垂下パッキン片の上部が設けられて垂下パッキン片の下部が前板下縁より露出する状態となされたものは知られている（参考文献：特開２００１−１９７，９４８号公報の図８）。
前記垂下パッキン片は、垂下パッキン片を有する引き出しの前板とその下側の引き出しの前板との間に発生する間隙を閉塞する作用を有している。
【０００３】
【従来技術の欠点】
前記従来の引き出しには以下の如き欠点があった。
垂下パッキン片が引き出しの前板の後面下部に単に取り付けられただけのものであったため、垂下パッキン片にそれを下方に引っ張る力が作用すれば、垂下パッキン片が容易に外れるという欠点があった。
【０００４】
【前記欠点を解消するための手段】
本発明は前記欠点を解消するために以下の如き手段を採用した。
▲１▼請求項１の発明は、引き出しの前板の後面下部に、後方に向かって開放した、少なくとも２つの嵌合凹所が形成され、これら嵌合凹所に左右方向に長い帯状の垂下パッキン片の上部に設けられた嵌合突起が嵌められて、垂下パッキン片の下部が前板下縁より露出する状態となされ、この垂下パッキン片の上部が、引き出しの底板の前端で押えられているものである。
▲２▼請求項２の発明は、前記嵌合凹所が、引き出しの底板の前端面が対向する、前板の部分に設けられているものである。
【０００５】
【発明の効果】
本発明は前記した如き構成によって以下の如き効果を奏する。
▲１▼請求項１の発明によれば、垂下パッキン片の嵌合突起が前板の嵌合凹所へ嵌合されると共に垂下パッキン片が底板で押えられているので、垂下パッキン片にそれを下方に引っ張る力が作用しても、垂下パッキン片が容易に外れる恐れがない。また、嵌合突起を垂下パッキン片の設定位置に正確に取り付けると共に嵌合凹所を前板の設定位置に正確に形成すれば、その後は、嵌合突起を嵌合凹所に嵌めることにより垂下パッキン片を前板の設定位置に正しく取り付けることが出来るので、組み立て作業が行ないやすい。
▲２▼請求項２の発明によれば、嵌合凹所が底板で隠れるので、垂下パッキン片を取り付けないタイプの引き出しの前板として、嵌合凹所を有する前板を使用することが出来るので、即ち、嵌合凹所を有する１種類の前板を、垂下パッキン片を取り付けるタイプの引き出しの前板としても、垂下パッキン片を取り付けないタイプの引き出しの前板としても使用出来るので、生産管理・在庫管理が行ないやすい。
【０００６】
【発明の実施の形態】
以下に本発明の実施の形態を説明する。
なお、この説明において、前とは図１紙面表側を、後とは同裏側をいい、左とは図１左側を、右とは同図右側をいう。
【０００７】
流し台等の厨房キャビネット１の本体３の右側に、前方に開放した引き出し用空間４が形成され、この引き出し用空間４に引き出し５及び引き出し６が、公知のガイド機構（図示略）により前後動自在（前後に引き出し自在）に設けられている。
【０００８】
前記上から３段の引き出し５は以下のごとき構成を有している。
引き出し５は把手９を備えた前板８を有している。前記前板８の後面下部に、後方に向かって開放した、少なくとも２つの嵌合凹所１０が形成され、これら嵌合凹所１０に左右方向に長い帯状の垂下パッキン片１１の上部に設けられた嵌合突起１２が嵌められて、垂下パッキン片１１の下部が前板８の下縁より露出する状態となされている。なお、前記嵌合凹所１０は、後述の底板１８の前端面が対向する、前板８の部分に設けられている。
【０００９】
前記垂下パッキン片１１は可撓性を有しており、左右長さが「Ｌ」で、高さが「Ｈ」である。前記嵌合突起１２はねじ１４等により垂下パッキン片１１に固定されている。
【００１０】
前記引き出し５の本体１７は、底板１８と、左右の側板１９と、後部の側板２０とを有しており、この本体１７に前板８が公知の連結手段（図示略）により連結・固定されている。そして、前板８を本体１７に連結・固定することにより、底板１８の前端により垂下パッキン片１１の上部が押えられる。換言すれば、垂下パッキン片１１の上部が底板１８の前端と前板８とにより挟持される。
【００１１】
最下段の引き出し６には垂下パッキン片１１は設けられていない。その他の構造は引き出し５と同様である。
【００１２】
【変形例等】
以下に変形例等について説明を加える。
（１）垂下パッキン片１１の素材は任意である。
（２）嵌合突起１２の、垂下パッキン片１１への固定手段は接着等任意である。
【図面の簡単な説明】
【図１】本発明の実施の形態を示す要部正面図である。
【図２】図１のＩＩ−ＩＩ線拡大断面図である。
【符号の説明】
５  引き出し
８  前板
１０  嵌合凹所
１１  垂下パッキン片
１２  嵌合突起
【図１】
2004209120.tif 000003
【図２】
2004209120.tif 000004
(57)【要約】【課題】パソコンなどのキーボードやタイピング練習ソフトがくても、キーボードのキーの配列を覚えたり、どのキーをどの指でタイピングすべきか正しく練習することができることを目的とする。【解決手段】キーの配列にそって孔２を設けたキーボード形のフレーム１に、それぞれキーの文字・記号を記したピース３を嵌めていくことにより、配列を覚えられるようにした。また、正しい指使いを覚えるために、ピース３をタイピングする指ごと色分けした。【選択図】図２
2004209179.tif 000002
【特許請求の範囲】
【請求項１】
キーの配列にそって孔を設けたキーボード形のフレームと、それぞれキーの文字、記号を記したピースが該孔と一対になっていることから構成されたキーボード学習パズル
【請求項２】
キーの文字、記号を記したピースをタイピングする指ごと色分けした請求項１のキーボード学習パズル
【発明の詳細な説明】
【０００１】
【発明の属する技術分野】
パソコン等のキーボードにおいて、キーの配列とタイピングを学習するためのパズルに関するものである。
【０００２】
【従来の技術】
従来はタイピングの学習法の１つとして、パソコンのタイピング練習ソフトなどでキーの配列を覚えたりしていた。また、キーボードを使わずにタイピングを練習する道具は存在しなかった。
【０００３】
【発明が解決しようとする課題】
タイピング練習ソフトの場合、まずパソコンがないと容易に練習することができなかった。また、タイピング練習ソフトの場合には点数やスピードを競うために、ゲーム指向が強く、確実にキーの配列を覚えるようにはならなかった。そして、どのキーをどの指でタイピングすべきかの正しい練習にはなっていなかった。
【０００４】
【課題を解決するための手段】
キーの配列にそって孔２を設けたキーボード形のフレーム１に、それぞれキーの文字・記号を記したピース３を嵌めていくことにより、配列を覚えられるようにした。また、正しい指使いを覚えるために、ピース３をタイピングする指ごと色分けした。
【０００５】
【発明の実施の形態】
以下、本発明の実施の形態について説明する。
（イ）  キーボードを形どったフレームにキーの形で複数の孔をあけ、キーの文字・記号を記したピースの形と一対にしておくことにより、そのピースが特定の孔にしか嵌らないようにして正しいキーの配列を学習できるようにしている。
（ロ）  ピースの形は各辺の長さや角の形を変えて組み合わせることにより、フレームにあけた孔と一対になるようにしている。
（ハ）  ピースをタイピングする指ごとに色分けしておき、フレームにも同様の色を施すことで、キーの配列とタイピングする指使いを関連付けて覚え易くしている。
【０００６】
次に、本発明の具体的な実施例を説明する。
（ニ）本発明を構成するフレームとピースは、厚さ２ｍｍの厚紙からなり、フレームの大きさは横３００ｍｍ、縦１１０ｍｍ程度、ピースは１２ｍｍ角程度で、図２の１と３に示す通り概ねパソコンに使用するキーボードと大きさを同じにしており、ピース３をフレーム１に嵌めると図１のようになる。
（ホ）次に、ピースは３５個から構成され、数字キーや特殊キーを除いた文字、記号をそれぞれのピースに印刷してあり、４辺の長さと４角のコーナーアールの大きさを微妙に変えることで、図２の３に示すように３５通りの形を形成している。
（ヘ）そして、フレーム１には、３５個のピース３とそれぞれが同じ形で４辺の長さと４角のコーナーアールの大きさを変えた孔２をあけることで一対にし、ピースが正しいキーの配列位置にのみ嵌るようにしている。
（ト）また、色分けした実施例として、タイピングする左手の４本と右手の４本の計８色にピースを色分けし、例えば左手の小指は赤色でＱ、Ａ、Ｚのピースを印刷し、左手の薬指は青色でＷ、Ｓ、Ｘを印刷し、同様の色でフレームの孔の淵を印刷することで、指ごとのピースを関連付けることができる。
【０００７】
【発明の効果】
本発明によれば、パソコンやタイピング練習ソフトがなくてもキーの配列やタイピングを学習できる。また、フレームに全くピースが嵌っていない状態からパズルを組み立てることにより、反復練習することでキーの配列がイメージとして記憶されていき、ブラインドタッチを目的とした学習効果も得られる。さらに、ピースを色分けしたことで、タイピングする指ごと関連付けて覚えることができる。
【図面の簡単な説明】
【図１】本発明の正面図
【図２】フレームとピースの構成図
【符号の説明】
１      キーの配列で孔をあけたフレーム
２      ピースの形と一対になっている孔
３      文字、記号を記したピース
【図１】
2004209179.tif 000003
【図２】
2004209179.tif 000004
(57)【要約】【課題】従来の就寝時に邪魔になったり、ベッドメイキング時にはきれいにベッド全体に広げるのに手間がかかったベッドカバーを、ベッド本体にロール式収納装置を設置することにより、就寝時にはリールにて手軽にロールに巻き取って収納し、ベッドメイキング時にはロールから引き出してそのまま手軽にベッドメイキングが完了することが可能となるものである。【解決手段】ベッド本体にこれから製造するベッドには内蔵、既製のベッドには外付け用のロール式収納装置を取り付けることにより、ベッドカバーを収納時にはリールにより巻き取り、ベッドメイキング時にはそのまま引き出せるようにする。【選択図】  図３
2004209177.tif 000002
【特許請求の範囲】
【請求項１】
簡単に収納とベッドメイキングができるベッドカバーのロール式収納装置
【発明の詳細な説明】
【０００１】
【発明の属する技術分野】
本発明は、ベッドカバーのロール式収納装置に関するものである。
【０００２】
【従来の技術】
ベッドカバーをかけるのは日常生活の中で面倒な作業であるが、ベッドカバーをかけない状態では、見栄えも良くないし、洋服のままベッドに腰掛けるのは衛生上も良くない。しかし、従来のベッドカバーは、就寝時に邪魔になったり、ベッドメイキング時にはきれいにベッド全体に広げるのに手間がかかった。
【０００３】
【発明が解決しようとする課題】
ロール式収納装置を設置することにより、従来の邪魔になったり広げるのに手間がかかったベッドカバーを、就寝時にはリールにて手軽にロールに巻き取って収納し、ベッドメイキング時にはロールから引き出してそのまま手軽にベッドメイキングが完了することが可能となるものである。
【０００４】
【課題を解決するための手段】
本発明は、これから製造するベッドには内蔵、既製のベッドには外付け用のベッドカバーを収納するロール式の装置を取り付け、収納時にはリールにより巻き取り、ベッドメイキング時にはそのまま引き出せるようにする。
【０００５】
【実施例】
ベッド本体（図１）にロール式収納装置（図２）を内蔵し、ベッドカバーの両横をベッド幅に整えてからリールで巻き取って収納し、広げる時にはそのまま引き出し、ベッド本体（図１）を覆ってベッドメイキングする。または、ベッド本体（図１）にロール式収納装置（図２）を外付けし、ベッドカバーを同様に収納したり、引き出してベッド本体（図１）を覆ってベッドメイキングする。（図３）
【０００６】
ベッド本体にロール式収納装置を内蔵し、ベッドカバーを収納時にはリールにより巻き取り、ベッドメイキング時にはそのまま引き出せるようにする。また、既製のベッドには外付け用のロール式収納装置を使用する。
【０００７】
【発明の効果】
従来のベッドカバーは、就寝時に邪魔になったり、ベッドメイキング時にはきれいにベッド全体に広げるのに手間がかかった。本発明により、手軽にベッドカバーをきれいに広げ、ベッドメイキングを完了させることができるようになる。
【図面の簡単な説明】
【図１】本発明を取り付けるベッド本体である
【図２】本発明のロール式収納装置である
【図３】本発明の外付け型を使用した完成図である
【符号の説明】
１  リールスイッチ
２  カバー引出し口
３  カバー巻取り芯棒
【図１】
2004209177.tif 000003
【図２】
2004209177.tif 000004
【図３】
2004209177.tif 000005
(57)【要約】【課題】バッグの周囲にファスナーを付け、その中にゲームをマジックテープで取り付けて、いつでもどこでも手軽に遊ぶことができるゲーム付きバッグである。ゲームだけを取り替えて、バリエーションを楽しむことができる。ゲームがバッグ表面のビニールから見えるので、そのゲーム自体がバッグのデザインとなる。バッグ本体は、従来どおりの一般的な使用が可能である。バッグは、通常のものから、ポシェット、ポーチに及ぶ。【解決手段】ゲームをバッグ表面のファスナー付きビニール内にマジックテープで取り付ける。ゲームの種類は多岐にわたり、新作ゲームにも対応できるので、取り外しが可能なものにし、ゲームだけを取り替えて、バリエーションを楽しむことができるようにする。また、表面のビニールをファスナーで開け、囲碁、将棋等の遊びにも対応できるものとする。【選択図】  図３
2004209176.tif 000002
【特許請求の範囲】
【請求項１】
バッグの表面全体にゲームを取り付けて遊び、併せてゲームがバッグのデザインとなる。
【発明の詳細な説明】
【０００１】
【発明の属する技術分野】
本発明は、ゲーム付きバッグに関するものである。
【０００２】
【従来の技術】
従来、ゲームを収納するための専用バッグはあったが、持ち歩くことが可能なゲームは、持って行くことを意識して自分のバッグに入れていた。出かける時に意識していなければ、出先でゲームで遊びたくてもできなかった。
【０００３】
【発明が解決しようとする課題】
本発明は、バッグ表面にゲームを取り付け、ゲームを持ち歩かなくても、いつでもどこでも手軽に遊ぶことができる。バッグ表面がビニールなので、中のゲームが見えて、そのゲーム自体がバッグのデザインとなる。バッグの種類は、通常のものからポシェット、ポーチに及ぶ。
【０００４】
【課題を解決するための手段】
本発明は、バッグの周囲にファスナーを付け、その中にゲームをマジックテープで取り付ける。ゲームの種類は多岐にわたり、新作ゲームにも対応できるので、取り外しが可能なものにし、ゲームだけを取り替えて、バリエーションを楽しむことができる。
【０００５】
【実施例】
バッグ（図１）表面のファスナー内にゲーム（図２）をマジックテープで取り付ける。
【０００６】
ゲームをバッグ表面ファスナー内に取り付け、ゲームを単独で持ち歩かなくても、いつでもどこでも手軽に、待ち時間等にも遊ぶことができる。表面のファスナーの開閉により、囲碁、将棋等の遊びもできる。ゲームがバッグ表面から見えるので、そのゲーム自体がバッグのデザインとなる。ゲームは取り外しが可能なので、ゲームだけを取り替えてバリエーションを楽しむことができる。
【０００７】
【発明の効果】
電車の中や待ち時間等に遊ぶゲームは、出かける時に意識して持って行かなければ遊ぶことはできない。本発明は、ゲームをバッグ表面に取り付け、ゲームを単独で持ち歩かなくてもいつでもどこでも手軽に遊ぶことができるバッグである。ゲームは取り外し可能なので、ゲームだけを取り替えることもできる。ゲームがバッグ表面から見えるので、そのゲーム自体がバッグのデザインとなり、ゲームを取り替えれば、様々なバリエーションを持つバッグとなる。バッグとしての使用は一般的な使い方ができ、通常のバッグからポシェット、ポーチも同様である。
【図面の簡単な説明】
【図１】本発明のバッグ本体である
【図２】本発明のバッグ取り付け用ゲームである
【図３】本発明の完成図である。
【符号の説明】
１  バッグ自体のファスナー
２  ゲーム実施用開閉ファスナー
【図１】
2004209176.tif 000003
【図２】
2004209176.tif 000004
【図３】
2004209176.tif 000005
(57)【要約】【課題】打球、返球を限りなく卓球台面上に衝突させ、更にカット、スピンを与える様にする。【解決手段】卓球ラケットの打球面を円弧状にする事により、一層卓球台面に打球、返球できる様にした。【選択図】  図１
2004209180.tif 000002
【特許請求の範囲】
【請求項１】
円盤状のラケット本体の外周に取手（グリップ）が突出しており、ラケット基盤の先端より、グリップ部にかけての長手方向の中心線に対して打球面が円弧状であることを特徴とする卓球用ラケット。
【請求項２】
卓球用ラケットの打球面がラケットの中心線に対して円弧状で、その半径Ｒが０．１〜１０ｍの範囲であること特微とする。請求項１記載の卓球用ラケット。
【発明の詳細な説明】
【０００１】
【発明の属する技術分野】
本発明は卓球ラケットの基板の打球部の先端からグリップ部にかけての長手方向の中心線に対して、打球面が左右方向に円弧状になっている卓球ラケットに関するものである。
【０００２】
【従来の技術】
従来から卓球ボールに強いスピンや打球を付与することが出来る。卓球ラケットの開発が進められて来た。打球部に貼付する新規なラバーやラケット部材の提供が中心であった。卓球用ラケットには大きく分けてシェークハンド用とペンホルダー用の２種類が存在しているが、両方共ラケットの中心でボールを打ち、返球することがボールの飛んでいく方向や速度を制御しているが、全て打球面は平板状である。
【０００３】
【発明が解決しようとする課題】
通常卓球ラケットは円盤型で打球面は平板状になっています。打球する時、肩肘・手首の運動軌跡又手で握るラケットの角度状態を反射的に考えて、限りなく相手の卓球面上に衝突する様に打球する。
【０００４】
又、返球する時も肩・肘・手首・体全体の動きを反射に対応して、又手にもつラケットの握り方・握り角度も反射的に対応します。限りなく卓球台面上に打球、返球、出来るかの問題がありました。更により一層のスピンを与える。
【０００５】
そこでこの本発明は肩・肘・手首・体全体の動きでよりよいフットワークを作り、更にラケットの形状を変えて限りなく打球・返球が出来るかの問題がありました。
【０００６】
【課題を解決するための手段】
本発明は卓球のラケットであって、上記問題を解決するために卓球ラケットの打球面を円弧状にする手段を講じた請求項１の卓球用ラケットである。
【０００７】
又、本発明は卓球用ラケットの打球部の打球面の円弧の状態が卓球をする人のフットワークに合う円弧半径にして出来る限りボールの飛んで行く方向や速度を制御しラケットの中心にボールを当てようとしてストロークを行うと、打球が限なく卓球台の中心、卓球台の面上に衝突するようにラケットの打球部の円弧状態の円弧半径を選択固定した請求項２の卓球用ラケットである。
【０００８】
【発明実施の形態】
本発明の実施の形態を添付図面に基づいて説明する。図１、図２は本発明の卓球用ラケットを説するため図であります。図３は図１のＡ−Ａ線断面図である。図４は図１の中心線Ｂ−Ｂの断面図である。本実施の形態に於いてラケットの表裏はラケットの円弧状面すなわち打球面を表（上、凹面）とし、ラケットの裏（下、凸面）とする。
【０００９】
このラケットが出来ると選択肢が広がり、手首のケンショウ炎を起こしにくく、球のカットが良く出来るのです。ラケットの表で打球・返球する時の球の入射角と反射角が重要な要素となり、適切なフットワークで相手側の卓球台面の中央に限りなく打つことが出来るのです。ネット、台すれすれで入る場合が多いのです。全体的にみれば成功率が高いのです。手、腕、上腕、人間動作等の円弧に円弧を重ねたフットワークで打球、返球するからです。
【００１０】
図５はペンホルダー用、図６はシェークハンド用に於いても、打球面の円弧状により、強力なスピン打球で限りなく卓球台の中央に打球、返球することが出来るのです。ラケットの裏面で返球する時も軽い凸面が微妙に作用して卓球台面上により、強力なスピン打球で限りなく卓球台の中央に打球、返球することが出来返球することが出来るのです。
【００１１】
図１は１枚の板で作られた単板ラケットや何枚かの板を貼り合せた合板ラケット、アルミ材、カーボン、チタン、樹脂その他金属で作っても良いのです。
グリップ基部も軽い円弧状にあるが幅に対して限りなく小さいので無視してグリップ材を取り付ける事が出来るのです。打球部基材に後にグリップ部全体を取り付ける方法もあります。ラケット使用に際して打球面が円弧状である為に基本姿勢で打球、返球する時、卓球台にラケット、手、グリップが衝突したり、球がラケットの下をすり抜けたりすることが少ないのです。
【００１２】
実験データーによれば平板より、打球面が円弧状の方が打球、返球に際して、卓球台に入る場合が多かった。打球面が円弧状のラケットを通称Ｒラケットと言うことにする。Ｒラケットは子供・初心者に良い結果が多かったのです。基板１が円弧状なので当然両面にラバーを貼っても凹凸がそのまま現れるのです。
【００１３】
【発明の効果】
以上述べた様に本発明は卓球ラケットに於いて、打球面を円弧状（凹）にすることにより又更に自然体のフットワークが加わり、充分に卓球台の中心に限りなく打球、返球することが出来るのです。球のカット、スピンが思うより良く、体の姿勢、手首に無理なくネット際の球を無理なく打球、返球しやすくなった。
【符号の説明】
１．卓球ラケット基板
２．打球部、凹面
３．グリップ部
４．グリップ端部
５．基板先端
６．基板凸面
７．ラバー（凹）
８．ラバー（凸）
９．段差部
１０．ペンホルダーグリップ
１１．シェークハンドグリップ
１２．手首
１３．前腕
１４．肘
１５．上腕
１６．ペンホルダーラッケット
１７．シェークハンドラケット
Ｏ．中心
ｒ．円弧半径
【図面の簡単な説明】
【図１】本発明の実施例のラケット基板の斜視図。
【図２】図１のラッケト基板のグリップ端側よりの側面図。
【図３】図１のラケット基板のＡ−Ａ線切断端面図と打球部の円弧状の円弧半径を示す図。
【図４】図１のラケット基板のＢ−Ｂ線切断端図面。
【図５】ペンホルダーラッケットと手首と肘の関係を示す図である。
【図６】シェークハンドラケットと手首と肘の関係を示す図である。
【図７】図５・６のＣ−Ｃ線切断端面図
【図１】
2004209180.tif 000003
【図２】
2004209180.tif 000004
【図３】
2004209180.tif 000005
【図４】
2004209180.tif 000006
【図５】
2004209180.tif 000007
【図６】
2004209180.tif 000008
【図７】
2004209180.tif 000009
(57)【要約】［課題］バットを早く振って力強い打球を飛ばすには、肩の力を抜いて、振ることである。しかし、力を抜くと握りが弱くなりボールがあったた瞬間バットが押し戻されてされてしまう。そこでいかに僅かな握りでバットを指に引っかかりをつけるのか、大きな課題である。［解決手段］  バットのグリップをしの字又は、Ｌ字にすることで、いかなるグリップよりも完全に指に引っかかるのである。【選択図】    図１
2004209178.tif 000002
【特許請求の範囲】
【請求項１】
バットの握る所がＬ字又は、しの字である。
【請求項２】
使用用途は野球バット、ゴルフのクラブ、テニスのラケット等使用できる。
【発明の詳細な説明】
【０００１】バットを振る時、肩の力を抜き早いスイングが出来るようにしたものである。
［発明の属する技術分野］
【０００２】
［従来の技術］  肩の力を抜くとどうしても握力が弱くなりボールがあったた瞬間ボールに弾き飛ばされてしまい、強い打球が打てなくなる。そのため従来からバットはグリップが握りが浅くひっかりが悪いためどうしても握力を強くするため肩に力が入ってしまう。すると今度は、バットの始動が遅れたり、スイングが遅くなってしまう。
【０００３】
［発明が解決しようとする課題］  肩の力を抜き握りを弱く、ボールがあったた瞬間、指にバットが引っかかり強くボールをはじき返せるようにする。
【０００４】
［課題を解決するための手段］  バットのグリップを指が完全に引っかかるようにＬ字又は、しの字にした。
【０００５】
［発明の実施の形態］
以下、本発明の実施の形態について説明する。
（イ）バットのグリップをＬ字または、しの字にする。
【０００７】
［発明の効果］  僅かな握力で力強いスイングと早い打球が打てる。
【図面の簡単な説明】
【図１】本発明のＬ字のバットの正面図である。
【図２】本発明のしの字のバットの全体図である。
【符号の説明】
特になし
【図１】
2004209178.tif 000003
【図２】
2004209178.tif 000004
(57)【要約】【目的】多種類の色が簡単に選別できて書く事が可能【構成】１０色のクレヨン芯を２ヶ所に設置し回転ケースで色の切替をして書く【選択図】図１
2004209959.tif 000002
【特許請求の範囲】
【請求項１】
［図３］の２個有る（２）に１個目に１色〜５色の（１１）を設置する。    ２個目の（２）に６色〜１０色の（１１）を設置する。（３）の右軸に（２）を取付（３）の左軸に２個目の（２）を取付、好みの１０色の中から（２）を回転させて色を選択できる。従来１０色のペンを必要としたのを１本で済む事を特徴としたレインボーペン
【請求項２】
［図３］の（１１）をボールペン又は鉛筆でも可能とした。
【発明の詳細な説明】
【０００１】
（産業上の利用の分野）
この発明はレインボーペンに関する。
【０００２】
（従来の技術）
従来は１０色には１０本必要とした為この１本に全部収納した。
【０００３】
（発明が解決しようとする課題）
（イ）１本の円筒に１０種類色選別が簡単に出来る。
（ロ）クレヨンが消耗しても本体スペアーケースに収納してあるので簡単に取替えが出来る。
（ハ）１０色を１本のペンで色選別を回転ケースで簡単に切替が出来る事を目的とする。
【０００４】
（課題を解決するための手段）
上記目的を達成するこの発明のレインボーペンは回転ケースに好みのクレヨンを取付、色を選択する事を特徴とする。
【０００５】
この発明は収納ケースに有る色芯を好みの色に即座に切替使用できる。
【０００６】
（実施例）
〈図３〉色を選択する時（１）の上部に色合せ目印に（２）に付いて有る色を（１）の目印に（２）を回転して色を合せる（４）の押出しレバーを押してストッパー溝に掛けて止める書く準備が完成  次に色変えする時は（４）の押出しレバーをストッパーからはずすと、戻しバネで元に収まる。次の色の選択が出来れば（１）の上部に色合わせ目印に（２）を移転して色を合せる（４）の押出しレバーを押してストッパー溝に掛けて止める。
（１１）が消耗した時は取替える（１１）を（４）の押出しレバーをストッパー溝に掛けて止める（１１）をクレヨン保持棒から取り出し取替える。
（実施例）
【０００６】
〈図３〉（３）に収納して有る（１１）を（５）に取り付けて完了。
【０００７】
（発明の効果）
このレインボーペンは色の選択が簡単に切替できて１本あれば１０色の色合わせが出来る効果がある。
【図面の簡単な説明】
【図１】レインボーペンの見取り図である。
【図２】レインボーペンの本体寸法図である。
【図３】レインボーペンの付属部品取付、及び部品名、部品番号、個数
【図４】レインボーペンの付属部品寸法部品、番号、部品、材質
【０００７】
【番号の説明】
（１）  クレヨン取付棒ガイドカバー
（２）  クレヨン取付棒回転収納ケース
（３）  クレヨン取付棒押出し棒
クレヨンスペアー収納ケース
（４）  クレヨン押出しレバーリング
（５）  クレヨン取付保持棒
（６）  クレヨン押出しレバー
（７）  クレヨン押出し止めピン
（８）  クレヨン戻しスプリング
（９）  クレヨン色合わせ用スプリング
（１０）クレヨン色合わせ用鋼球
（１１）クレヨン
（１２）クレヨン収納カバー
【図１】
2004209959.tif 000003
【図２】
2004209959.tif 000004
【図３ａ】
2004209959.tif 000005
【図３ｂ】
2004209959.tif 000006
【図４】
2004209959.tif 000007
(57)【要約】      （修正有）【課題】印刷時間の短縮と間違いを少なくしたはがきの印刷方法の提供。【解決手段】パソコンなどではがき印刷する時、往復はがき印刷を利用して表裏を同時に印刷する。【選択図】図１
2004209958.tif 000002
【特許請求の範囲】
【請求項１】
往復はがき印刷で表裏を同時に印刷し、印刷時間の短縮と間違いを少なくし経費負担を軽くする。
【発明の詳細な説明】
【０００１】産業上の利用分野
ＩＴ関連産業
【０００２】従来の技術
従来の往復はがき印刷は、往復はがきを印刷するだけのために使われてきた。
【０００３】発明が解決しようとする課題
本発明（ビジネス特許）は、往復はがき印刷で表裏を同時に印刷し、印刷時間の短縮と表裏の行き違いをなくし、糊付けすれば普通はがきに転用できるようにした。
【０００４】問題を解決するための手段
１    マイクロソフトのＡｃｃｅｓｓで檀家ごとに年忌者すべてを一枚のはがきに載せるようにする。
２    糊付けするはがきが多い場合はシールを貼るなどする。
【０００５】発明の効果
１    寺院の檀家に向けての年忌案内はがきなどの場合、大量のはがき枚数となることもある。そのとき、この特許の表裏同時印刷によれば時間も短縮できるし、表裏の行き違いもなくなる。また身近な檀家の場合、手渡しとなるかもしれない。その場合糊付けすることも、切手を貼ることも必要ない。経費負担が軽くなるのである。
２    檀家ごとに年忌者すべてを一枚のはがきに載せることもできるので、分かり易く経費も少なくて済む。
【図面の簡単な説明】
【図１】本発明の実施の一例を示すはがきである。
【符号の説明】
１は、はがきの表側
２は、はがきの裏側
【図１】
2004209958.tif 000003
(57)【要約】【課題】容易に消し屑を処理できる、ちり取り付き消しゴムケースを提供する。【解決手段】ケース本体（１）の下部にちり取り部分（２）を設け、このちり取り部分（２）と刷毛（６）を使用することにより、消し屑の処理を可能とすることを特徴とする。【選択図】  図１
2004209957.tif 000002
【特許請求の範囲】
【請求項１】
ケース本体（１）にちり取り部分（２）を取り付け、刷毛（６）を収納自在とする消し屑処理機能を有した消しゴムケース。
【発明の詳細な説明】
【０００１】
【発明の属する技術分野】
この発明は、消しゴムケースに消し屑処理用具を付けた、ちり取り付き消しゴムケースに関するものである。
【０００２】
【従来の技術】
従来には、消し屑が出た場合には事務用簡易クリーナーの装置が使用されている。（例えば特許文献１参照）
また、消し屑の処理の場合にくず取りローラーの装置が利用されている。（例えば特許文献２参照）
【０００３】
【特許文献１】
特開平１０−１７５３９４号公報
【特許文献２】
特開平９−１９２０８０号公報
【０００４】
【発明が解決しようとする課題】
これには、次のような欠点があった。
（イ）上記の装置のような掃除用具を用意することへの煩わしさから、消し屑を床へ落とすことにより、床を汚してしまっていた。
（ロ）消し屑を床に落とすことで、床の掃除の必要が出てしまいがちだった。
本発明は、これらの欠点を除くためになされたものである。
【０００５】
【課題を解決するための手段】
ケース本体（１）の下部にちり取り部分（２）を設け、このちり取り部分（２）と刷毛（６）を使用することにより、消し屑の処理を可能とする。
そして、刷毛（６）を収納するために、ちり取り部分（２）に穴（３）を、刷毛（６）に突起（７）を設け、さらに全体を収納するために、ケース本体（１）に切り込み（５）を、ちり取り部分（２）にフック部分を設ける。
本発明は、以上のような構成よりなるちり取り付き消しゴムケースである。
【０００６】
【発明の実施の形態】
以下、本発明の実施例について説明する。
（イ）ケース本体（１）の下部にちり取り部分を設ける。
（ロ）ちり取り部分（２）に、刷毛（６）の突起（７）をはめ込むための穴（３）を設ける。
（ハ）ケース本体（１）に切り込み（５）を設け、ちり取り部分（２）の先端にフック部分（４）を設ける。
本発明は以上のような構造で、これを使用するときは、ちり取り部分（２）から刷毛（６）を取り外し、この二つを使用して、出た消し屑を処理する。
また、使用後には、刷毛（６）の突起（７）をちり取り部分（２）の穴（３）にはめ込み、刷毛（６）を収納し、またその状態で、フック部分（４）を切り込み（５）に差し込むことによって、全体を収納する。
【０００７】
【発明の効果】
簡単に消し屑を処理することが出来るようになるため、床を消し屑で汚すことを防ぐことが可能となる。
また、このケースは一枚の紙から製作可能なため安価での提供も可能となる。
【図面の簡単な説明】
【図１】本発明の分解斜視図である。
【図２】本発明の刷毛収容時の斜視図である。
【図３】本発明の収納状態の斜視図である。
【図４】本発明の収納状態の断面図である。
【符号の説明】
１  ケース本体、２  ちり取り部分、３  穴、４  フック部分、５  切り込み、６  刷毛、７  突起
【図１】
2004209957.tif 000003
【図２】
2004209957.tif 000004
【図３】
2004209957.tif 000005
【図４】
2004209957.tif 000006